(57)【特許請求の範囲】
【請求項１】
開口部を有する箱体と、
この箱体の開口部に取り付けられると共に側面に凹溝を有する扉本体と、
この扉本体に取り付けられると共に上記扉本体の外面の少なくとも一部を覆って保護する保護部材と
を備え、
この保護部材は、
本体部と、
この本体部の上記扉本体側の面に設けられると共に、上記扉本体の上記凹溝の少なくとも一部に上記凹溝の凹み方向に移動して嵌め込まれる第１の突起部と、
上記本体部の上記扉本体側の面に設けられる第２の突起部と
を有し、
上記第２の突起部が、上記箱体の開口部の周辺の一部、または、上記扉本体の他の側面の少なくとも一部に、接触することによって、上記第１の突起部は、上記扉本体の上記凹溝から抜け出ないように、上記第１の突起部の移動が、規制され、
上記凹溝に嵌め込まれた上記第１の突起部が上記凹溝の凹み方向と反対方向へ移動するように、上記第１の突起部の上記凹溝への嵌め込み代以上の大きさを有する空間を、設けていることを特徴とする扉の保護構造。
【請求項２】
請求項１に記載の扉の保護構造において、
上記箱体の開口部の周辺の一部は、上記扉本体よりも上記凹溝の凹み方向と反対方向に上記箱体に設けられた突部であり、
上記第２の突起部は、上記第１の突起部が上記凹溝に嵌め込まれた状態で、上記突部の上記凹溝側の面に接触する位置に配置され、
上記第２の突起部が、上記突部の上記凹溝側の面に、接触することによって、上記第１の突起部は、上記扉本体の上記凹溝から抜け出ないように、上記第１の突起部の移動が、規制されていることを特徴とする扉の保護構造。
【請求項３】
請求項２に記載の扉の保護構造において、
上記扉本体と上記突部との間に、上記箱体の開口部に取り付けられる少なくとも１つの他の扉本体を備え、
上記保護部材の本体部は、上記他の扉本体の外面の少なくとも一部を覆って保護することを特徴とする扉の保護構造。
【請求項４】
請求項１に記載の扉の保護構造において、
上記扉本体の他の側面は、上記扉本体の上記凹溝と反対側にある側面であり、
上記第２の突起部は、上記第１の突起部が上記凹溝に嵌め込まれた状態で、上記扉本体の他の側面に接触する位置に配置され、
上記第２の突起部が、上記扉本体の他の側面に、接触することによって、上記第１の突起部は、上記扉本体の上記凹溝から抜け出ないように、上記第１の突起部の移動が、規制されていることを特徴とする扉の保護構造。
【請求項５】
請求項４に記載の扉の保護構造において、
上記扉本体よりも上記凹溝の凹み方向と反対方向に、上記箱体の開口部に取り付けられる少なくとも１つの他の扉本体を備え、
上記保護部材の本体部は、上記他の扉本体の外面の少なくとも一部を覆って保護することを特徴とする扉の保護構造。
【請求項６】
請求項１に記載の扉の保護構造において、
上記扉本体は、観音開きであり、閉じた状態で上記凹溝の凹み方向に延びる隙間を有し、
上記第１の突起部は、上記扉本体の上記隙間に嵌め込まれる位置決め部を有することを特徴とする扉の保護構造。
【発明の詳細な説明】
【技術分野】
【０００１】
この発明は、例えば、（冷蔵庫または電子レンジ等の）電気製品や（タンスまたは棚等の）家具等の扉を有する箱体の扉の保護構造に関する。詳しくは、この扉の保護構造は、上記箱体の運搬時の上記扉の損傷を防止する。
【背景技術】
【０００２】
従来の扉の保護構造は、冷蔵庫の扉の外面を、ほぼ一定の空間部をもって覆う包装容器において、この空間部に保護部材を備えていた（特開２００３−７２８４９号公報：特許文献１参照）。
【０００３】
この保護部材は、断面略三角形に組み立てられ、上記保護部材の一辺が上記扉の外面と当接し、上記保護部材の上記一辺に対向する頂点が、上記包装容器と当接することで、外部からの衝撃に対して上記扉を保護していた。
【０００４】
具体的に述べると、上記保護部材は、扉固定部を有し、上記扉は、前方に突出したドアハンドルを有し、上記保護部材の上記扉固定部を上記扉の上記ドアハンドルに上方から引っ掛けることで、上記保護部材を上記扉に取り付けていた。
【０００５】
しかしながら、上記従来の扉の保護構造では、上記保護部材は、上記ドアハンドルに上方から引っ掛けられて、上記扉に取り付けられていただけなので、上記保護部材に上向きの力がかかった場合、上記保護部材が上記ドアハンドルから容易に離脱する欠点があった。このため、例えば、冷蔵庫の運搬時に、上記保護部材が冷蔵庫から離脱して、上記冷蔵庫の扉が損傷するおそれがあった。
【特許文献１】特開２００３−７２８４９号公報
【発明の開示】
【発明が解決しようとする課題】
【０００６】
そこで、この発明の課題は、保護部材を扉に確実に固定して、冷蔵庫の運搬時等における扉の損傷を防止する扉の保護構造を提供することにある。
【課題を解決するための手段】
【０００７】
上記課題を解決するため、この発明の扉の保護構造は、開口部を有する箱体と、この箱体の開口部に取り付けられると共に側面に凹溝を有する扉本体と、この扉本体に取り付けられると共に上記扉本体の外面の少なくとも一部を覆って保護する保護部材とを備え、
この保護部材は、本体部と、この本体部の上記扉本体側の面に設けられると共に、上記扉本体の上記凹溝の少なくとも一部に上記凹溝の凹み方向に移動して嵌め込まれる第１の突起部と、上記本体部の上記扉本体側の面に設けられる第２の突起部とを有し、
上記第２の突起部が、上記箱体の開口部の周辺の一部、または、上記扉本体の他の側面の少なくとも一部に、接触することによって、上記第１の突起部は、上記扉本体の上記凹溝から抜け出ないように、上記第１の突起部の移動が、規制され、
上記凹溝に嵌め込まれた上記第１の突起部が上記凹溝の凹み方向と反対方向へ移動するように、上記第１の突起部の上記凹溝への嵌め込み代以上の大きさを有する空間を、設けていることを特徴としている。
【０００８】
この発明の扉の保護構造によれば、上記第２の突起部が、上記箱体の開口部の周辺の一部、または、上記扉本体の他の側面に、接触することによって、上記第１の突起部は、上記扉本体の上記凹溝から抜け出ないように、上記第１の突起部の移動が、規制されるので、簡単な構成にて、上記保護部材を上記扉本体に確実に固定することができる。例えば、冷蔵庫の運搬時に、上記保護部材に下向きの力がかかっても、上記保護部材が冷蔵庫から離脱することを防ぐことができて、少なくとも上記扉本体の損傷を防止することができる。
【０００９】
また、上記保護部材の上記第１の突起部は、上記扉本体の上記凹溝に嵌合するので、上記保護部材は、上記扉本体の前方へ外れることがない。このように、上記保護部材を、仮止めテープにて、上記冷蔵庫に固定する必要がなくて、仮止めテープは、不要になる。
【００１０】
また、上記凹溝に嵌め込まれた上記第１の突起部が上記凹溝の凹み方向と反対方向へ移動するように、上記第１の突起部の上記凹溝への嵌め込み代以上の大きさを有する空間を、設けているので、この空間を利用して、上記扉本体を閉じた状態で、上記第１の突起部を上記凹溝から取り外すことができる一方、上記第１の突起部を上記凹溝に嵌め込むことができる。このように、上記保護部材を上記扉本体に容易に着脱できる。
【００１１】
また、一実施形態の扉の保護構造では、上記箱体の開口部の周辺の一部は、上記扉本体よりも上記凹溝の凹み方向と反対方向に上記箱体に設けられた突部であり、上記第２の突起部は、上記第１の突起部が上記凹溝に嵌め込まれた状態で、上記突部の上記凹溝側の面に接触する位置に配置され、
上記第２の突起部が、上記突部の上記凹溝側の面に、接触することによって、上記第１の突起部は、上記扉本体の上記凹溝から抜け出ないように、上記第１の突起部の移動が、規制されている。
【００１２】
この実施形態の扉の保護構造によれば、上記第２の突起部が、上記突部の上記凹溝側の面に、接触することによって、上記第１の突起部は、上記扉本体の上記凹溝から抜け出ないように、上記第１の突起部の移動が、規制されているので、上記第１の突起部と上記第２の突起部を接近させるように上記保護部材を弾性変形して、上記保護部材を上記扉本体に着脱できる。
【００１３】
また、一実施形態の扉の保護構造では、上記扉本体と上記突部との間に、上記箱体の開口部に取り付けられる少なくとも１つの他の扉本体を備え、上記保護部材の本体部は、上記他の扉本体の外面の少なくとも一部を覆って保護する。
【００１４】
この実施形態の扉の保護構造によれば、上記保護部材の本体部は、上記他の扉本体の外面の少なくとも一部を覆って保護するので、上記保護部材によって全ての扉本体を確実に保護できる。
【００１５】
また、一実施形態の扉の保護構造では、上記扉本体の他の側面は、上記扉本体の上記凹溝と反対側にある側面であり、上記第２の突起部は、上記第１の突起部が上記凹溝に嵌め込まれた状態で、上記扉本体の他の側面に接触する位置に配置され、
上記第２の突起部が、上記扉本体の他の側面に、接触することによって、上記第１の突起部は、上記扉本体の上記凹溝から抜け出ないように、上記第１の突起部の移動が、規制されている。
【００１６】
この実施形態の扉の保護構造によれば、上記第２の突起部が、上記扉本体の他の側面に、接触することによって、上記第１の突起部は、上記扉本体の上記凹溝から抜け出ないように、上記第１の突起部の移動が、規制されているので、上記第１の突起部と上記第２の突起部を離隔させるように上記保護部材を弾性変形して、上記保護部材を上記扉本体に着脱できる。
【００１７】
また、一実施形態の扉の保護構造では、上記扉本体よりも上記凹溝の凹み方向と反対方向に、上記箱体の開口部に取り付けられる少なくとも１つの他の扉本体を備え、上記保護部材の本体部は、上記他の扉本体の外面の少なくとも一部を覆って保護する。
【００１８】
この実施形態の扉の保護構造によれば、上記保護部材の本体部は、上記他の扉本体の外面の少なくとも一部を覆って保護するので、上記保護部材によって全ての扉本体を確実に保護できる。
【００１９】
また、一実施形態の扉の保護構造では、上記扉本体は、観音開きであり、閉じた状態で上記凹溝の凹み方向に延びる隙間を有し、上記第１の突起部は、上記扉本体の上記隙間に嵌め込まれる位置決め部を有する。
【００２０】
この実施形態の扉の保護構造によれば、上記第１の突起部の上記位置決め部を上記扉本体の上記隙間に嵌め込むことで、上記保護部材を上記扉本体に対して、上記隙間の延びる方向に直交する方向の位置決めを行うことができる。このように、上記保護部材が上記扉本体から離脱することを一層確実に防ぐことができる。
【発明の効果】
【００２１】
この発明の扉の保護構造によれば、上記第２の突起部が、上記箱体の開口部の周辺の一部、または、上記扉本体の他の側面に、接触することによって、上記第１の突起部は、上記扉本体の上記凹溝から抜け出ないように、上記第１の突起部の移動が、規制されるので、簡単な構成にて、上記保護部材を上記扉本体に確実に固定することができて、例えば、冷蔵庫の運搬時等における冷蔵庫の扉の損傷を防止できる。
【発明を実施するための最良の形態】
【００２２】
以下、この発明を図示の実施の形態により詳細に説明する。
【００２３】
（第１の実施形態）
図１は、この発明の扉の保護構造の一実施形態である斜視図を示している。この扉の保護構造は、開口部を有する（箱体としての）冷蔵庫本体６と、この冷蔵庫本体６の開口部に上から下へ順に取り付けられる第１の扉本体１、第２の扉本体２および第３の扉本体３と、上記第１の扉本体１、上記第２の扉本体２および上記第３の扉本体３の外面（前面）に取り付けられる保護部材５とを備える。上記扉本体１，２，３の外面とは、上記扉本体１，２，３を閉じたときの外側になる面である。上記冷蔵庫本体６には、この開口部の周辺の一部として、上記第３の扉本体３の直下に突部４が設けられている。
【００２４】
そして、上記保護部材５を取り付けられた冷蔵庫は、（図示しない）包装容器に覆われて、運搬される。このとき、上記保護部材５は、外部からの衝撃に対して、上記第１の扉本体１、上記第２の扉本体２および上記第３の扉本体３の外面の一部を保護する。
【００２５】
上記第１の扉本体１は、冷蔵室の扉である。上記第１の扉本体１は、観音開きであり、閉じた状態で上下方向に延びる隙間１２を有する。すなわち、上記第１の扉本体１は、右開きの右扉と左開きの左扉とを有し、この左右の扉を閉じた状態で、左右の扉の対向面の間に上記隙間１２を形成する。この隙間１２は、上記第１の扉本体１の左右方向中央部に位置する。
【００２６】
上記第２の扉本体２は、冷凍室の扉である。上記第２の扉本体２は、観音開きであり、閉じた状態で上下方向に延びる隙間２２を有する。すなわち、上記第２の扉本体２は、右開きの右扉と左開きの左扉とを有し、この左右の扉を閉じた状態で、左右の扉の対向面の間に上記隙間２２を形成する。この隙間２２は、上記第２の扉本体２の左右方向中央部に位置する。
【００２７】
上記第３の扉本体３は、野菜室の扉である。上記第３の扉本体３は、観音開きであり、閉じた状態で上下方向に延びる隙間３２を有する。すなわち、上記第３の扉本体３は、右開きの右扉と左開きの左扉とを有し、この左右の扉を閉じた状態で、左右の扉の対向面の間に上記隙間３２を形成する。この隙間３２は、上記第３の扉本体３の左右方向中央部に位置する。
【００２８】
図２の側面図に示すように、上記第１の扉本体１の下面には、左右方向に延びている凹溝１１を有する。上記第２の扉本体２の下面には、左右方向に延びている凹溝２１を有する。上記凹溝１１，２１は、指の係り部としてのドアハンドルを兼ねている。
【００２９】
上記突部４は、上記冷蔵庫本体６の最下部に設けられている。上記突部４は、例えば、上記冷蔵庫本体６の下面に設けられた（図示しない）足部を覆うカバー部材である。つまり、上記突部４は、上記第１の扉本体１よりも上記凹溝１１の凹み方向（上方向）と反対方向（下方向）に設けられている。
【００３０】
図２、図３および図４に示すように、上記保護部材５は、平板状の本体部５０と、この本体部５０の一面に上から下へ順に設けられる第１の突起部５１、第３の突起部５３および第２の突起部５２とを備える。
【００３１】
上記第１の突起部５１、上記第２の突起部５２および上記第３の突起部５３は、それぞれ、水平（左右）方向に延びている。上記保護部材５は、例えば、弾性を有する発泡スチロール等の合成樹脂の一体成型からなる。
【００３２】
上記第１の突起部５１は、断面Ｌ字形状であり、上記第１の扉本体１の上記凹溝１１の少なくとも一部に嵌合する。上記第１の突起部５１は、左右方向中央部に、左右位置決め部５１ａを有する。この左右位置決め部５１ａは、上記第１の扉本体１の上記隙間１２に嵌め込まれる。
【００３３】
上記第１の扉本体１の下面と上記第２の扉本体２の上面との間の隙間の寸法は、上記第１の突起部５１の上下方向の高さ寸法よりも大きい。言い換えると、上記凹溝１１に嵌め込まれた上記第１の突起部５１が上記凹溝１１の凹み方向（上方向）と反対方向（下方向）へ移動するように、上記第１の突起部５１の上記凹溝１１への嵌め込み代以上の大きさを有する空間を設けている。つまり、この空間とは、上記第１の突起部５１が上記凹溝１１に嵌め込まれたときの上記第１の突起部５１と上記第２の扉本体２との間の隙間である。
【００３４】
上記第３の突起部５３は、断面Ｌ字形状であり、上記第２の扉本体２の上記凹溝２１の少なくとも一部に嵌合する。上記第３の突起部５３は、左右方向中央部に、左右位置決め部５３ａを有する。この左右位置決め部５３ａは、上記第２の扉本体２の上記隙間２２に嵌め込まれる。
【００３５】
上記第２の扉本体２の下面と上記第３の扉本体３の上面との間の隙間の寸法は、上記第３の突起部５３の上下方向の高さ寸法よりも大きい。言い換えると、上記凹溝２１に嵌め込まれた上記第３の突起部５３が上記凹溝２１の凹み方向（上方向）と反対方向（下方向）へ移動するように、上記第３の突起部５３の上記凹溝２１への嵌め込み代以上の大きさを有する空間を設けている。つまり、この空間とは、上記第３の突起部５３が上記凹溝２１に嵌め込まれたときの上記第３の突起部５３と上記第３の扉本体３との間の隙間である。
【００３６】
上記第２の突起部５２は、断面Ｉ字形状であり、上記突部４の上面に接触する。つまり、上記第２の突起部５２は、上記第１の突起部５１が上記凹溝１１に嵌め込まれた状態で、上記突部４の上記凹溝１１側の面に接触する位置に配置されている。上記第２の突起部５２は、左右方向中央部に、左右位置決め部５２ａを有する。この左右位置決め部５２ａは、上記第３の扉本体３の上記隙間３２に嵌め込まれる。上記第３の扉本体３の下面と上記突部４の上面との間の隙間の寸法は、上記第２の突起部５２の上下方向の高さ寸法よりも大きい。
【００３７】
そして、上記保護部材５の上記第１の突起部５１は、上記第２の突起部５２が上記突部４の上面に接触することによって、上記第１の扉本体１の上記凹溝１１から抜け出ないように下方向の移動を規制される。
【００３８】
同時に、上記保護部材５の上記第３の突起部５３は、上記第２の突起部５２が上記突部４の上面に接触することによって、上記第２の扉本体２の上記凹溝２１から抜け出ないように下方向の移動を規制される。
【００３９】
すなわち、上記保護部材５は、上記冷蔵庫扉に対して上下方向の移動を規制される。また、上記保護部材５は、上記左右位置決め部５１ａ，５２ａ，５３ａによって、上記冷蔵庫扉に対して左右方向の移動を規制される。
【００４０】
このように、上記保護部材５は、上記第１の扉本体１、上記第２の扉本体２および上記第３の扉本体３の外面の一部に重なった状態を維持する。つまり、上記保護部材５の本体部５０は、上記第１の扉本体１と上記突部４との間の上記第２の扉本体２および上記第３の扉本体３の外面の少なくとも一部を覆って保護するので、上記保護部材５によって全ての扉本体１，２，３を確実に保護できる。
【００４１】
次に、上記保護部材５を上記冷蔵庫扉に取り付ける方法を説明する。
【００４２】
図５に示すように、上記第１の扉本体１、上記第２の扉本体２および上記第３の扉本体３を閉じた状態で、上記保護部材５を上記冷蔵庫扉に上記冷蔵庫扉の前方から近づけ、図６に示すように、上記保護部材５の上記第１の突起部５１を、上記第１の扉本体１の下面と上記第２の扉本体２の上面との間の隙間に挿入し、上記保護部材５の上記第３の突起部５３を、上記第２の扉本体２の下面と上記第３の扉本体３の上面との間の隙間に挿入する。
【００４３】
このとき、上記第３の突起部５３の下面と上記第２の突起部５２の下面との間の距離は、上記第３の扉本体３の上面と上記突部４の上面との間の距離よりも大きいので、上記第２の突起部５２は、上記第３の扉本体３の下面と上記突部４の上面との間の隙間に挿入されない。すなわち、上記第３の突起部５３と上記第２の突起部５２との間で上記本体部５０は、弾性変形して撓んでいる。
【００４４】
その後、上記保護部材５を上方へスライドして、上記第１の突起部５１を上記第１の扉本体１の上記凹溝１１に嵌め込み、上記第３の突起部５３を上記第２の扉本体２の上記凹溝２１に嵌め込み、上記第２の突起部５２を上記突部４の上面に接触させる。
【００４５】
このとき、図３に示すように、上記第１の突起部５１の上記左右位置決め部５１ａを上記第１の扉本体１の上記隙間１２に嵌め込み、上記第３の突起部５３の上記左右位置決め部５３ａを上記第２の扉本体２の上記隙間２２に嵌め込み、上記第２の突起部５２の上記左右位置決め部５２ａを上記第３の扉本体３の上記隙間３２に嵌め込む。
【００４６】
このように、上記第１の突起部５１および上記第３の突起部５３と上記第２の突起部５２とを接近させるように上記保護部材５を弾性変形して、上記保護部材５を上記扉本体１，２に着脱できる。
【００４７】
上記構成の扉の保護構造によれば、上記保護部材５の上記第１の突起部５１は、上記第２の突起部５２が上記突部４の上面に接触することによって、上記第１の扉本体１の上記凹溝１１から抜け出ないように下方向の移動を規制されるので、簡単な構成にて、上記保護部材５を上記第１の扉本体１に確実に固定することができる。例えば、冷蔵庫の運搬時に、上記保護部材５に下向きの力がかかっても、上記保護部材５が冷蔵庫から離脱することを防ぐことができて、少なくとも上記第１の扉本体１の損傷を防止することができる。
【００４８】
また、上記保護部材５の上記第１の突起部５１は、上記第１の扉本体１の上記凹溝１１に嵌合するので、上記保護部材５は、上記第１の扉本体１の前方へ外れることがない。このように、上記保護部材５を、仮止めテープにて、上記冷蔵庫に固定する必要がなくて、仮止めテープは、不要になる。
【００４９】
また、上記凹溝１１に嵌め込まれた上記第１の突起部５１が上記凹溝１１の凹み方向と反対方向へ移動するように、上記第１の突起部５１の上記凹溝１１への嵌め込み代以上の大きさを有する空間を、設けているので、この空間を利用して、上記第１の扉本体１および上記第２の扉本体２を閉じた状態で、上記第１の突起部５１を上記凹溝１１から取り外すことができる一方、上記第１の突起部５１を上記凹溝１１に嵌め込むことができる。このように、上記保護部材５を上記第１の扉本体１に容易に着脱できる。
【００５０】
また、上記第１の扉本体１は、閉じた状態で上記凹溝１１の凹み方向（上方向）に延びる隙間１２を有し、上記第１の突起部５１は、上記隙間１２に嵌め込まれる左右位置決め部５１ａを有するので、上記第１の突起部５１の上記左右位置決め部５１ａを上記第１の扉本体１の上記隙間１２に嵌め込むことで、上記保護部材５を上記第１の扉本体１に対して、上記隙間１２の延びる方向に直交する方向（左右方向）の位置決めを行うことができる。このように、上記保護部材５が冷蔵庫から離脱することを一層確実に防ぐことができる。
【００５１】
また、上記第２の突起部５２の上記左右位置決め部５２ａを上記第３の扉本体３の上記隙間３２に嵌め込むことで、上記保護部材５を上記第３の扉本体３に対して左右に位置決めを行うことができる。このように、上記保護部材５が冷蔵庫から離脱することを一層確実に防ぐことができる。
【００５２】
また、上記保護部材５の上記第３の突起部５３は、上記第２の扉本体２の上記凹溝２１に嵌合するので、上記保護部材５は、上記第２の扉本体２の前方へ外れることがない。このように、上記保護部材５を冷蔵庫に確実に固定することができる。
【００５３】
また、上記第２の扉本体２および上記第３の扉本体３を閉じた状態で、上記第３の突起部５３を、上記第２の扉本体２と上記第３の扉本体３との間の隙間に挿入して、上記第２の扉本体２の上記凹溝２１に嵌め込むことができる。このように、上記保護部材５を上記第２の扉本体２に容易に取り付けることができる。
【００５４】
また、上記第３の突起部５３の上記左右位置決め部５３ａを上記第２の扉本体２の上記隙間２２に嵌め込むことで、上記保護部材５を上記第２の扉本体２に対して左右に位置決めを行うことができる。このように、上記保護部材５が冷蔵庫から離脱することを一層確実に防ぐことができる。
【００５５】
また、上記保護部材５は、一体成型からなるので、上記保護部材５を上記第１の扉本体１に取り付ける前に、上記保護部材５を組み立てる必要がなくて、上記保護部材５をそのまま上記第１の扉本体１に取り付けることができて、作業性が向上する。
【００５６】
また、上記保護部材５は、発泡スチロールからなるので、上記保護部材５は、軽量であり、上記保護部材５を容易に持ち運ぶことができる。また、上記保護部材５の製造や加工が、容易になる。
【００５７】
また、上記本体部５０は、上記第１の突起部５１よりも上方（上記凹溝１１の凹み方向）に延びる部分（上部）を有するので、冷蔵庫を梱包中に、上記第２の突起部５２が前方へ浮き出してきても、上記本体部５０の上部が上記第１の扉本体１に干渉し、上記保護部材５は上記第１の突起部５１付近を中心に回転しなくなる。したがって、上記第２の突起部５２は上記突部４の上面から離れず、上記保護部材５は上記第１の扉本体１から離脱し難くなる。
【００５８】
（第２の実施形態）
図７は、この発明の扉の保護構造の第２の実施形態を示している。上記第１の実施形態（図２）と相違する点を説明すると、この第２の実施形態では、この保護部材５Ａは、本体部５０Ａと、この本体部５０Ａの上記第１の扉本体１側の面に設けられた第１の突起部５１Ａおよび第２の突起部５２Ａとを備える。
【００５９】
上記第１の突起部５１Ａは、上記第１の実施形態（図２）の第１の突起部５１と同じ構成である。なお、上記第１の実施形態と同一の符号は、上記第１の実施形態と同じ構成であるため、その説明を省略する。
【００６０】
上記第２の突起部５２Ａは、断面Ｉ字形状である。上記第２の突起部５２Ａは、上記第１の突起部５１Ａが上記第１の扉本体１の上記凹溝１１に嵌め込まれた状態で、上記第１の扉本体１の上記凹溝１１と反対側にある側面（上面）に接触する位置に配置されている。
【００６１】
上記第２の突起部５２Ａが、上記第１の扉本体１の上面の少なくとも一部に、接触することによって、上記第１の突起部５１Ａは、上記第１の扉本体１の上記凹溝１１から抜け出ないように、上記第１の突起部５１Ａの移動が、規制されている。
【００６２】
つまり、上記第１の突起部５１Ａと上記第２の突起部５２Ａを離隔させるように上記保護部材５Ａを弾性変形して、上記保護部材５Ａを上記第１の扉本体１に着脱できる。
【００６３】
上記保護部材５Ａの本体部５０Ａは、上記第１の扉本体１よりも上記凹溝１１の凹み方向（上方向）と反対方向（下方向）にある上記第２の扉本体２および上記第３の扉本体３の外面の少なくとも一部を覆って保護するので、上記保護部材５Ａによって全ての扉本体１，２，３を確実に保護できる。
【００６４】
上記構成の扉の保護構造によれば、上記保護部材５Ａの上記第１の突起部５１Ａは、上記第２の突起部５２Ａが上記第１の扉本体１の上面に接触することによって、上記第１の扉本体１の上記凹溝１１から抜け出ないように下方向の移動を規制されるので、簡単な構成にて、上記保護部材５Ａを上記第１の扉本体１に確実に固定することができる。なお、その他の構造は、上記第１の実施形態と同じであるため、その説明を省略する。
【００６５】
また、上記本体部５０Ａは、上記第１の突起部５１Ａよりも下方（上記凹溝１１の凹み方向と反対方向）に延びる部分（下部）を有するので、冷蔵庫を梱包中に、上記第２の突起部５２Ａが前方へ浮き出してきても、上記本体部５０Ａの下部が上記第２の扉本体２に干渉し、上記保護部材５Ａは上記第１の突起部５１Ａ付近を中心に回転しなくなる。したがって、上記第２の突起部５２Ａは上記第１の扉本体１の上面から離れず、上記保護部材５Ａは上記第１の扉本体１から離脱し難くなる。
【００６６】
なお、上記第１の突起部５１Ａおよび上記第２の突起部５２Ａを、上記第２の扉本体２側に設けてもよい。すなわち、上記第１の突起部５１Ａを上記第２の扉本体２の上記凹溝２１に嵌め込む位置に配置し、上記第２の突起部５２Ａを上記第２の扉本体２の上面に接触する位置に配置してもよい。
【００６７】
なお、この発明は上述の実施形態に限定されない。例えば、上記第１の突起部５１，５１Ａ、上記第２の突起部５２，５２Ａおよび上記第３の突起部５３を、上記本体部５０，５０Ａの幅方向の全長にわたって設ける必要はなく、上記本体部５０，５０Ａの幅寸法の半分程度であってもよい。また、上記第３の突起部５３を省略して、上記第１の突起部５１および上記第２の突起部５２のみを設けてもよい。また、上記第２の扉本体２および上記第３の扉本体３を省略して、上記第１の扉本体１のみを設けてもよい。
【００６８】
上記第１の扉本体１の上下左右の何れかの側面に、上記凹溝１１を設ければよい。上記保護部材５，５Ａの本体部５０，５０Ａは、平板状以外に、ブロック形状等であってもよい。また、上記突部４の代わりに、上記冷蔵庫本体６の開口部の周辺に凹部を設けて、この凹部に、上記保護部材５の上記第２の突起部５２を係止するようにしてもよい。また、上記第１の突起部５１，５１Ａおよび上記第３の突起部５３は、少なくとも一部に、断面Ｌ字形状に形成された部分を有していればよく、上記第１の突起部５１，５１Ａおよび上記第３の突起部５３を上記凹溝１１，２１に嵌め込むことができる。
【００６９】
また、上記第１の扉本体１、上記第２の扉本体２および上記第３の扉本体３は、それぞれ、観音開き式の扉に限らず、互いに同じ側に開く左右の扉を有するようにしてもよく、または、引き出し式の左右の扉を有するようにしてもよく、左右中央に上記隙間１２，２２，３２を有していればよい。
【００７０】
この発明の扉の保護構造を、冷蔵庫以外に、例えば、（電子レンジ等の）電気製品や（タンスまたは棚等の）家具等の扉を有する箱体に、用いてもよい。
【図面の簡単な説明】
【００７１】
【図１】本発明の扉の保護構造の第１実施形態を示す斜視図である。
【図２】この扉の保護構造の側面図である。
【図３】この扉の保護構造の正面図である。
【図４】保護部材の斜視図である。
【図５】冷蔵庫扉に保護部材を取り付ける状態を示す側面図である。
【図６】冷蔵庫扉に保護部材を取り付ける状態を示す側面図である。
【図７】本発明の扉の保護構造の第２実施形態を示す側面図である。
【符号の説明】
【００７２】
１    第１の扉本体（冷蔵室扉）
１１    凹溝
１２    隙間
２    第２の扉本体（冷凍室扉）
２１    凹溝
２２    隙間
３    第３の扉本体（野菜室扉）
３２    隙間
４    突部
５，５Ａ    保護部材
５０，５０Ａ    本体部
５１，５１Ａ    第１の突起部
５１ａ    左右位置決め部
５２，５２Ａ    第２の突起部
５２ａ    左右位置決め部
５３    第３の突起部
５３ａ    左右位置決め部
６    冷蔵庫本体（箱体）
【図１】
0004427492.tif 000002
【図２】
0004427492.tif 000003
【図３】
0004427492.tif 000004
【図４】
0004427492.tif 000005
【図５】
0004427492.tif 000006
【図６】
0004427492.tif 000007
【図７】
0004427492.tif 000008